【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
モニタと入力装置とを備え、該モニタにデータ入力用の基本画面を表示して、該基本画面からの入力装置に従う入力データを取り込んで、該入力データに従って所定のプリンタにおける印刷のための各種情報を設定するプリンタ制御装置であって、
前記基本画面を表わす画面形成用データとして、前記入力装置から入力可能な前記情報の数が相違する複数パターンを記憶する記憶手段と、
作業者のコンピュータに対する習熟のレベルを算出するレベル算出手段と、
前記記憶手段に記憶されている複数パターンの画面形成用データのうちから、前記レベル算出手段にて算出されたレベルに基づいて一つを選択する画面形成用データ選択手段と、
前記基本画面を前記モニタに表示する要求があるときに、前記画面形成用データ選択手段により選択された画面形成用データに従って前記基本画面の表示を行なう表示制御手段と、
作業者からの指示に従って前記複数パターンの画面形成用データのうちから一つを選択して、前記表示制御手段によって表示された基本画面の内容を、前記選択されたパターンの画面形成用データに従うものに変更する基本画面変更手段と
を備えるプリンタ制御装置。
【請求項２】
請求項１に記載のプリンタ制御装置であって、
前記基本画面に、前記基本画面変更手段を駆動するためのスイッチを付加した構成である
プリンタ制御装置。
【請求項３】
請求項１または２に記載のプリンタ制御装置であって、
前記プリンタへの接続に使用しているプリンタポートの種類を入力するポート種類入力手段
を備え、
前記レベル算出手段は、
前記ポート種類入力手段により入力したプリンタポートの種類から前記レベルを求める構成である、プリンタ制御装置。
【請求項４】
請求項１または２に記載のプリンタ制御装置であって、
前記プリンタの機種を示す機種データを外部から受信する受信手段
を備え、
前記レベル算出手段は、
前記受信手段より受信した機種データから前記レベルを求める構成である、プリンタ制御装置。
【請求項５】
請求項４に記載のプリンタ制御装置であって、
前記プリンタとは双方向にデータの授受ができるように接続され、
前記受信手段は、前記プリンタから前記機種データを受ける構成である、プリンタ制御装置。
【請求項６】
モニタにデータ入力用の基本画面を表示して、該基本画面からの入力装置に従う入力データを取り込んで、該入力データに従って所定のプリンタにおける印刷のための各種情報を設定するプリンタ制御方法であって、
（ａ）前記基本画面を表わす画面形成用データとして、前記入力装置から入力可能な前記情報の数が相違する複数パターンを記憶する工程と、
（ｂ）作業者のコンピュータに対する習熟のレベルを算出する工程と、
（ｃ）前記工程（ａ）により記憶された複数パターンの画面形成用データのうちから、前記レベル算出手段にて算出されたレベルに基づいて一つを選択する工程と、
（ｄ）前記基本画面を前記モニタに表示する要求があるときに、前記画面形成用データ選択工程により選択された画面形成用データに従って前記基本画面の表示を行なう工程と、
（ｅ）作業者からの指示に従って前記複数パターンの画面形成用データのうちから一つを選択して、前記表示制御手段によって表示された基本画面の内容を、前記選択されたパターンの画面形成用データに従うものに変更する工程と
を備えるプリンタ制御方法。
【請求項７】
モニタにデータ入力用の基本画面を表示して、該基本画面からの入力装置に従う入力データを取り込んで、該入力データに従って所定のプリンタにおける印刷のための各種情報を設定するためのコンピュータプログラムを記録した記録媒体であって、
（ａ）前記基本画面を表わす画面形成用データとして、前記入力装置から入力可能な前記情報の数が相違する複数パターンを記憶する工程と、
（ｂ）作業者のコンピュータに対する習熟のレベルを算出する工程と、
（ｃ）前記工程（ａ）により記憶された複数パターンの画面形成用データのうちから、前記レベル算出手段にて算出されたレベルに基づいて一つを選択する工程と、
（ｄ）前記基本画面を前記モニタに表示する要求があるときに、前記画面形成用データ選択工程により選択された画面形成用データに従って前記基本画面の表示を行なう工程と、
（ｅ）作業者からの指示に従って前記複数パターンの画面形成用データのうちから一つを選択して、前記表示制御手段によって表示された基本画面の内容を、前記選択されたパターンの画面形成用データに従うものに変更する工程と
をコンピュータに実行させるためのコンピュータプログラムを記録した記録媒体。
【請求項８】
請求項７に記載の記録媒体であって、
（ｆ）前記基本画面にスイッチを付加して、該スイッチが作業者により操作されたときに、前記工程（ｅ）を駆動する工程
をコンピュータに実行させるためのコンピュータプログラムを記録した記録媒体。
【請求項９】
請求項７または８に記載の記録媒体であって、
（ｇ）前記プリンタへの接続に使用しているプリンタポートの種類を入力する工程を実行させるとともに、
前記工程（ｂ）は、
前記工程（ｆ）により入力したプリンタポートの種類から前記レベルを求める構成である、記録媒体。
【請求項１０】
請求項７または８に記載の記録媒体であって、
（ｈ）前記プリンタの機種を示す機種データを外部から受信する工程
を備え、
前記工程（ｂ）は、
前記工程（ｈ）により受信した機種データから前記レベルを求める構成である、記録媒体。
【手続補正２】
【補正対象書類名】明細書
【補正対象項目名】０００７
【補正方法】変更
【補正の内容】
【０００７】
このような課題を解決するため、この発明のプリンタ制御装置は、
モニタと入力装置とを備え、該モニタにデータ入力用の基本画面を表示して、該基本画面からの入力装置に従う入力データを取り込んで、該入力データに従って所定のプリンタにおける印刷のための各種情報を設定するプリンタ制御装置であって、
前記基本画面を表わす画面形成用データとして、前記入力装置から入力可能な前記情報の数が相違する複数パターンを記憶する記憶手段と、
作業者のコンピュータに対する習熟のレベルを算出するレベル算出手段と、
前記記憶手段に記憶されている複数パターンの画面形成用データのうちから、前記レベル算出手段にて算出されたレベルに基づいて一つを選択する画面形成用データ選択手段と、
前記基本画面を前記モニタに表示する要求があるときに、前記画面形成用データ選択手段により選択された画面形成用データに従って前記基本画面の表示を行なう表示制御手段と、
作業者からの指示に従って前記複数パターンの画面形成用データのうちから一つを選択して、前記表示制御手段によって表示された基本画面の内容を、前記選択されたパターンの画面形成用データに従うものに変更する基本画面変更手段と
を備えることを、その要旨としている。
【手続補正３】
【補正対象書類名】明細書
【補正対象項目名】０００８
【補正方法】変更
【補正の内容】
【０００８】
上記構成のプリンタ制御装置では、入力可能な各種情報の数が相違する複数パターンの基本画面をそれぞれ形成するための複数の画面形成用データが、記憶手段に記憶されており、基本画面をモニタに表示する要求があるときには、作業者のコンピュータに対する習熟のレベルに基づいてその複数パターンの画面形成用データのうちの一の図面形成用データに従って基本画面の表示がなされる。さらに、作業者からの指示に従って前記複数パターンの画面形成用データのうちから一つが選択されて、前記表示された基本画面の内容が、前記選択されたパターンの画面形成用データに従うものに変更される。
【手続補正４】
【補正対象書類名】明細書
【補正対象項目名】０００９
【補正方法】変更
【補正の内容】
【０００９】
このため、オペレータの習熟度によって基本画面を差別化することができる。さらに、自動設定された基本画面が、オペレータの好みに合わない場合に、オペレータは、基本画面の内容を容易に変更することができる。この結果、基本画面をそれぞれのケースにおいて最適なものとすることができることから、基本画面から各種情報の設定を行なう際の作業性に優れているといった効果を奏する。
【手続補正５】
【補正対象書類名】明細書
【補正対象項目名】００１０
【補正方法】変更
【補正の内容】
【００１０】
上記構成のプリンタ制御装置において、前記基本画面に、前記基本画面変更手段を駆動するためのスイッチを付加した構成であるものとすることができる。この構成によれば、基本画面に付加されたスイッチを操作するだけで、基本画面の内容を容易に変更することができる。
【手続補正６】
【補正対象書類名】明細書
【補正対象項目名】００１１
【補正方法】変更
【補正の内容】
【００１１】
上記構成のプリンタ制御装置において、前記プリンタへの接続に使用しているプリンタポートの種類を入力するポート種類入力手段を備え、前記レベル算出手段は、前記ポート種類入力手段により入力したプリンタポートの種類から前記レベルを求める構成であるものとすることができる。この構成によれば、プリンタへの接続に使用しているプリンタポートの種類から作業者のコンピュータに対する習熟のレベルを求めることができる。
【手続補正７】
【補正対象書類名】明細書
【補正対象項目名】００１３
【補正方法】変更
【補正の内容】
【００１３】
この構成によれば、プリンタの機種から作業者のコンピュータに対する習熟のレベルを求めることができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
この発明のプリンタ制御方法は、
モニタにデータ入力用の基本画面を表示して、該基本画面からの入力装置に従う入力データを取り込んで、該入力データに従って所定のプリンタにおける印刷のための各種情報を設定するプリンタ制御方法であって、
（ａ）前記基本画面を表わす画面形成用データとして、前記入力装置から入力可能な前記情報の数が相違する複数パターンを記憶する工程と、
（ｂ）作業者のコンピュータに対する習熟のレベルを算出する工程と、
（ｃ）前記工程（ａ）により記憶された複数パターンの画面形成用データのうちから、前記レベル算出手段にて算出されたレベルに基づいて一つを選択する工程と、
（ｄ）前記基本画面を前記モニタに表示する要求があるときに、前記画面形成用データ選択工程により選択された画面形成用データに従って前記基本画面の表示を行なう工程と、
（ｅ）作業者からの指示に従って前記複数パターンの画面形成用データのうちから一つを選択して、前記表示制御手段によって表示された基本画面の内容を、前記選択されたパターンの画面形成用データに従うものに変更する工程と
を備えることを、その要旨としている。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
この発明の記録媒体は、
モニタにデータ入力用の基本画面を表示して、該基本画面からの入力装置に従う入力データを取り込んで、該入力データに従って所定のプリンタにおける印刷のための各種情報を設定するためのコンピュータプログラムを記録した記録媒体であって、
（ａ）前記基本画面を表わす画面形成用データとして、前記入力装置から入力可能な前記情報の数が相違する複数パターンを記憶する工程と、
（ｂ）作業者のコンピュータに対する習熟のレベルを算出する工程と、
（ｃ）前記工程（ａ）により記憶された複数パターンの画面形成用データのうちから、前記レベル算出手段にて算出されたレベルに基づいて一つを選択する工程と、
（ｄ）前記基本画面を前記モニタに表示する要求があるときに、前記画面形成用データ選択工程により選択された画面形成用データに従って前記基本画面の表示を行なう工程と、
（ｅ）作業者からの指示に従って前記複数パターンの画面形成用データのうちから一つを選択して、前記表示制御手段によって表示された基本画面の内容を、前記選択されたパターンの画面形成用データに従うものに変更する工程と
をコンピュータに実行させるためのコンピュータプログラムを記録したことを、その要旨としている。
【手続補正１６】
【補正対象書類名】明細書
【補正対象項目名】００２５
【補正方法】変更
【補正の内容】
【００２５】
上記構成の記録媒体によっても、前記プリンタ制御装置および方法と同様に、基本画面をそれぞれのケースにおいて最適なものとすることができることから、基本画面から各種情報の設定を行なう際の作業性に優れているといった効果を奏する。
【手続補正１７】
【補正対象書類名】明細書
【補正対象項目名】００２６
【補正方法】削除
【補正の内容】